(57)【要約】【課題】均一なさくら色の照明を実現することができる照明装置を提供する。【解決手段】照明装置は、リングカバー、リングカバーと略同一形状のシャーシを備え、シャーシには、周状に複数の基板を配置してある。各基板は、複数の光源を実装してある。複数の光源は、昼光色の光を発する複数の昼光色光源と、電球色の光を発する複数の電球色光源と、赤色の光を発する複数の赤色光源とを有する。そして、複数の昼光色光源を基板上に均等に配置してあり、複数の昼光色光源のうち一部の複数の昼光色光源それぞれの近傍に電球色光源及び赤色光源からなる１組の光源を配置してある。【選択図】図４
2015050122.tif 000002
【特許請求の範囲】
【請求項１】
複数の光源を実装した基板を備える照明装置において、
前記複数の光源は、
昼光色の光を発する複数の昼光色光源と、
電球色の光を発する複数の電球色光源と、
赤色の光を発する複数の赤色光源と
を有し、
前記複数の昼光色光源を前記基板上に均等に配置してあり、
前記複数の昼光色光源のうち一部の複数の昼光色光源それぞれの近傍に前記電球色光源及び赤色光源からなる１組の光源を配置してあることを特徴とする照明装置。
【請求項２】
前記電球色光源及び赤色光源からなる各組の光源を前記基板上に均等に配置してあることを特徴とする請求項１に記載の照明装置。
【請求項３】
前記電球色光源及び赤色光源は、それぞれの組について略等間隔に配置してあることを特徴とする請求項１又は請求項２に記載の照明装置。
【請求項４】
前記電球色光源、昼光色光源及び赤色光源に流れる電流を調整して電球色に調色制御する調色制御部を備えることを特徴とする請求項１から請求項３までのいずれか１項に記載の照明装置。
【請求項５】
前記調色制御部は、
前記電球色光源に流れる電流に対して、前記昼光色光源に流れる電流の比を５％から２５％の範囲とし、前記赤色光源に流れる電流の比を１０％から３４％の範囲とすべく電流を調整するようにしてあることを特徴とする請求項４に記載の照明装置。
【発明の詳細な説明】
【技術分野】
【０００１】
本発明は、複数の光源を実装した基板を備える照明装置に関する。
【背景技術】
【０００２】
住宅の室内用の照明装置としては、従来、白熱電球、蛍光灯などの光源を備えるものが用いられている。一方で、近年、発光ダイオード（ＬＥＤ）の高輝度化に伴い、白熱電球や蛍光灯などの光源に代えて、低消費電力、長寿命等の特性を有するＬＥＤが照明装置の光源として用いられるようになりつつある。
【０００３】
例えば、照射方向が天井などの取付面に対して略垂直方向となるように複数の白色ＬＥＤ及び電球色ＬＥＤが基板に搭載された光源モジュールの光出射方向側に、照明カバーと離隔して設けられ、ＬＥＤからの出射光を拡散させる拡散部材を備えた照明装置が開示されている（特許文献１参照）。
【先行技術文献】
【特許文献】
【０００４】
【特許文献１】特開２０１３−２５８６８号公報
【発明の概要】
【発明が解決しようとする課題】
【０００５】
特許文献１の照明装置では、白色、電球色及びそれらの混色の照明が可能である。一方で、くつろぎや癒しの照明環境を実現するために、例えば、桜色の照明を使いたいという要望がある。しかし、従来、均一なさくら色の照明を実現することができなかった。
【０００６】
本発明は斯かる事情に鑑みてなされたものであり、均一なさくら色の照明を実現することができる照明装置を提供することを目的とする。
【課題を解決するための手段】
【０００７】
本発明に係る照明装置は、複数の光源を実装した基板を備える照明装置において、前記複数の光源は、昼光色の光を発する複数の昼光色光源と、電球色の光を発する複数の電球色光源と、赤色の光を発する複数の赤色光源とを有し、前記複数の昼光色光源を前記基板上に均等に配置してあり、前記複数の昼光色光源のうち一部の複数の昼光色光源それぞれの近傍に前記電球色光源及び赤色光源からなる１組の光源を配置してあることを特徴とする。
【０００８】
本発明に係る照明装置は、前記電球色光源及び赤色光源からなる各組の光源を前記基板上に均等に配置してあることを特徴とする。
【０００９】
本発明に係る照明装置は、前記電球色光源及び赤色光源は、それぞれの組について略等間隔に配置してあることを特徴とする。
【００１０】
本発明に係る照明装置は、前記電球色光源、昼光色光源及び赤色光源に流れる電流を調整して電球色に調色制御する調色制御部を備えることを特徴とする。
【００１１】
本発明に係る照明装置は、前記調色制御部は、前記電球色光源に流れる電流に対して、前記昼光色光源に流れる電流の比を５％から２５％の範囲とし、前記赤色光源に流れる電流の比を１０％から３４％の範囲とすべく電流を調整するようにしてあることを特徴とする。
【発明の効果】
【００１２】
本発明によれば、薄型で均一なさくら色の照明を実現することができる。
【図面の簡単な説明】
【００１３】
【図１】本実施の形態の照明装置の外観の一例を示す平面図である。
【図２】本実施の形態の照明装置の構成の一例を示す分解斜視図である。
【図３】本実施の形態の照明装置の構成の要部を示す断面図である。
【図４】基板上のＬＥＤの配置の第１実施例を示す説明図である。
【図５】基板上のＬＥＤの配置の第２実施例を示す説明図である。
【図６】基板上のＬＥＤの配置の第３実施例を示す説明図である。
【図７】基板上のＬＥＤの配置の第４実施例を示す説明図である。
【図８】基板上のＬＥＤの配置の第５実施例を示す説明図である。
【図９】矩形状の基板の配置例を示す説明図である。
【図１０】矩形状の基板上のＬＥＤの配置の第１実施例を示す説明図である。
【図１１】本実施の形態の照明装置により照明をソメイヨシノの色に調色した場合の発光スペクトルの一例を示す説明図である。
【図１２】本実施の形態の照明装置により照明を八重桜の色に調色した場合の発光スペクトルの一例を示す説明図である。
【図１３】本実施の形態の照明装置のソメイヨシノ及び八重桜の各色の色度座標の一例を示す説明図である。
【図１４】従来の電球色の発光スペクトルの一例を示す説明図である。
【図１５】本実施の形態の照明装置により照明を電球色に調色した場合の色度座標の第１例を示す説明図である。
【図１６】本実施の形態の照明装置により照明を電球色に調色した場合の平均演色評価数（Ｒａ）の一例を示す説明図である。
【図１７】本実施の形態の照明装置により照明を電球色に調色した場合の色度座標の第２例を示す説明図である。
【図１８】本実施の形態の照明装置の基板の配置の一例を示す平面図である。
【図１９】基板周辺の要部の一例を示す説明図である。
【図２０】本実施の形態の照明装置の電源基板の固定方法の一例を示す斜視図である。
【図２１】内側アダプタの第１例を示す外観斜視図である。
【図２２】図２１のＸＸＩＩ−ＸＸＩＩ線から見た内側アダプタの要部断面図である。
【図２３】外側アダプタの第１例を示す外観斜視図である。
【図２４】図２３のＸＸＩＶ−ＸＸＩＶ線から見た外側アダプタの要部断面図である。
【図２５】内側アダプタ及び外側アダプタの固定状態の一例を示す要部断面図である。
【図２６】内側アダプタの第２例を示す外観斜視図である。
【図２７】外側アダプタの第２例を示す外観斜視図である。
【図２８】電源基板の書き換え用のコネクタの近傍の様子を示す説明図である。
【図２９】電源基板の書き換え用のコネクタの近傍の様子を示す説明図である。
【図３０】本実施の形態の照明装置のリングカバーの要部を示す説明図である。
【図３１】センタカバーの一例を示す外観斜視図である。
【図３２】センタカバーの取付状態の一例を示す説明図である。
【図３３】シャーシの一例を示す外観斜視図である。
【図３４】シャーシとリングカバーとの取付部分の一例を示す要部断面図である。
【図３５】シャーシとリングカバーとの取付部分の一例を示す要部断面図である。
【発明を実施するための形態】
【００１４】
以下、本発明をその実施の形態を示す図面に基づいて説明する。図１は本実施の形態の照明装置の外観の一例を示す平面図であり、図２は本実施の形態の照明装置の構成の一例を示す分解斜視図であり、図３は本実施の形態の照明装置の構成の要部を示す断面図である。
以下の説明では、照明装置として、天井等の取付面に直に取り付けることができるシーリングライトを例として挙げるが、照明装置は、シーリングライトに限定されるものではなく、天井等の取付面に埋め込んで取り付ける照明装置等であってもよい。
【００１５】
図１は照明装置をリングカバー７０側の光出射方向から見た一例を示す。リングカバー７０は、円形状をなし、例えば、ポリカーボネート又はアクリル等の光を透過する材料からなり、光を拡散する拡散材が分散された乳白色の部材である。リングカバー７０の中央部には、円形状のセンタカバーシート８０を配置している。リングカバー７０は、リングカバー７０から照明装置の照明光が出射される。
【００１６】
図２及び図３に示すように、照明装置は、アルミニウム又は鉄等の金属製であって外周形状が円形状であり、中央に円形状の孔を有する板部材からなり、リングカバー７０と略同一形状のシャーシ１０、シャーシ１０にナイロンリベット９３で固定され、円周状に配置される４枚の基板２０、シャーシ１０の中央の孔に配置される内側アダプタ３０及び外側アダプタ４０、シャーシ１０の中央部に配置され、所定のプログラムを記録した書き換え可能なメモリ、所要の電気部品及び電子部品等が実装された電源基板５０、電源基板５０とシャーシ１０との間に配置される絶縁シート９１、電源基板５０を覆う基板カバー６０、センタカバーシート８０と略同一形状のセンタカバー８１、リング状のセンタカバーシール８２、シャーシ１０と天井面との間に配置される矩形状のクッション９２などを備える。なお、シャーシ１０は金属製に限らず、樹脂又はセラミックス等他の材料製であってもよい。
【００１７】
各基板２０は、シャーシ１０と平行に配置され、後述の光源としての昼光色ＬＥＤ、電球色ＬＥＤ及び赤色ＬＥＤがそれぞれ複数個、後述の所定の配置で基板２０に実装してある。なお、昼光色ＬＥＤ、電球色ＬＥＤ及び赤色ＬＥＤを纏めてＬＥＤと称する。各基板２０に実装されたＬＥＤが発する光は、リングカバー７０から外部へ出射される。
【００１８】
各基板２０は、外形が円形状であって中央部に円形状の孔を有する同心円状の基板を径方向に４等分に分割したうちの１つと同等の形状をなす。すなわち、各基板２０は、一方の対向する円弧状の外辺及び内辺と、他方の対向する側辺とにより囲まれた形状をなす。
【００１９】
図４は基板２０上のＬＥＤの配置の第１実施例を示す説明図である。図４は１４畳の照明装置に使用される基板の例である。
基板２０には、昼光色の光を発する複数の昼光色光源としての昼光色ＬＥＤ２１、電球色の光を発する複数の電球色光源としての電球色ＬＥＤ２２、赤色の光を発する複数の赤色光源としての赤色ＬＥＤ２３を実装してある。基板２０には、例えば、昼光色ＬＥＤ２１が２４個、電球色ＬＥＤ２２及び赤色ＬＥＤ２３がそれぞれ１６個実装されている。照明装置には、４枚の基板２０を設けているので、照明装置全体としては、昼光色ＬＥＤ２１が９６個、電球色ＬＥＤ２２及び赤色ＬＥＤ２３がそれぞれ６４個実装されていることになる。
【００２０】
基板２０上には、２４個の昼光色ＬＥＤ２１を均等に配置してある。均等に配置するとは、例えば、２４個の昼光色ＬＥＤ２１の中の隣り合う任意の昼光色ＬＥＤ２１同士の間の離隔寸法を同等にして配置するということである。なお、昼光色ＬＥＤ２１を含めて他の色のＬＥＤを電気的に接続する配線パターンの配置の制限等により、一部の昼光色ＬＥＤ２１が他の多数の昼光色ＬＥＤ２１に比べて均等ではない配置となってもよい。
【００２１】
複数（図４の例では２４個）の昼光色ＬＥＤ２１のうち一部の複数（図４の例では１６個）の昼光色ＬＥＤ２１それぞれの近傍に電球色ＬＥＤ２２及び赤色ＬＥＤ２３からなる１組のＬＥＤを配置してある。なお、近傍とは、例えば、隣り合う昼光色ＬＥＤ２１同士の間の離隔寸法の半分以下の寸法である。
【００２２】
電球色ＬＥＤ２２及び赤色ＬＥＤ２３は、一部の複数の昼光色ＬＥＤ２１それぞれの近傍に配置してあるので、昼光色ＬＥＤ２１の数に比べて電球色ＬＥＤ２２及び赤色ＬＥＤ２３の数は少ない。昼光色ＬＥＤ２１、電球色ＬＥＤ２２及び赤色ＬＥＤ２３を同時に点灯させた場合、さくら色の１つの色であるソメイヨシノの色を実現することができる。また、昼光色ＬＥＤ２１を基板２０上で均等に配置し、さらに一部の複数の昼光色ＬＥＤ２１それぞれの近傍に１組の電球色ＬＥＤ２２及び赤色ＬＥＤ２３を配置しているので、電球色ＬＥＤ２２及び赤色ＬＥＤ２３から発する光を加味した昼光色ＬＥＤ２１から発する光が均一になり、均一なソメイヨシノの色の照明を実現することができる。
【００２３】
また、図４に示すように、電球色ＬＥＤ２２及び赤色ＬＥＤ２３からなる各組のＬＥＤを基板２０上に均等に配置してある。上述のように、昼光色ＬＥＤ２１を基板２０上に均等に配置し、さらに一部の複数の昼光色ＬＥＤ２１それぞれの近傍に配置した電球色ＬＥＤ２２及び赤色ＬＥＤ２３の各組を基板２０上で均等に配置しているので、昼光色ＬＥＤ２１、電球色ＬＥＤ２２及び赤色ＬＥＤ２３から発する光が均一になり、均一なソメイヨシノの色の照明を実現することができる。
【００２４】
また、昼光色ＬＥＤ２１を点灯させずに電球色ＬＥＤ２２及び赤色ＬＥＤ２３だけを同時に点灯させた場合、さくら色の１つの色である八重桜の色を実現することができる。電球色ＬＥＤ２２及び赤色ＬＥＤ２３の各組を基板２０上で均等に配置しているので、電球色ＬＥＤ２２及び赤色ＬＥＤ２３から発する光が均一になり、均一な八重桜の色の照明を実現することができる。
【００２５】
また、図４に示すように、電球色ＬＥＤ２２及び赤色ＬＥＤ２３は、それぞれの組について略等間隔に配置してある。電球色ＬＥＤ２２及び赤色ＬＥＤ２３は、いずれの組においても略等間隔に配置してあるので、電球色ＬＥＤ２２及び赤色ＬＥＤ２３から発する光の混色状態が均一になり、一層均一なソメイヨシノの色又は八重桜の色の照明を実現することができる。
【００２６】
図５は基板２０上のＬＥＤの配置の第２実施例を示す説明図である。図５は１２畳の照明装置に使用される基板の例である。基板２０には、例えば、昼光色ＬＥＤ２１が２１個、電球色ＬＥＤ２２及び赤色ＬＥＤ２３がそれぞれ１４個実装されている。照明装置には、４枚の基板２０を設けているので、照明装置全体としては、昼光色ＬＥＤ２１が８４個、電球色ＬＥＤ２２及び赤色ＬＥＤ２３がそれぞれ５６個実装されていることになる。
【００２７】
基板２０上には、２１個の昼光色ＬＥＤ２１を均等に配置してある。また、２１個の昼光色ＬＥＤ２１のうち一部の複数（図５の例では１４個）の昼光色ＬＥＤ２１それぞれの近傍に電球色ＬＥＤ２２及び赤色ＬＥＤ２３からなる１組のＬＥＤを配置してある。昼光色ＬＥＤ２１を基板２０上で均等に配置し、さらに一部の複数の昼光色ＬＥＤ２１それぞれの近傍に１組の電球色ＬＥＤ２２及び赤色ＬＥＤ２３を配置しているので、電球色ＬＥＤ２２及び赤色ＬＥＤ２３から発する光を加味した昼光色ＬＥＤ２１から発する光が均一になり、均一なソメイヨシノの色の照明を実現することができる。
【００２８】
また、図５に示すように、電球色ＬＥＤ２２及び赤色ＬＥＤ２３からなる各組のＬＥＤを基板２０上に均等に配置してある。上述のように、昼光色ＬＥＤ２１を基板２０上に均等に配置し、さらに一部の複数の昼光色ＬＥＤ２１それぞれの近傍に配置した電球色ＬＥＤ２２及び赤色ＬＥＤ２３の各組を基板２０上で均等に配置しているので、昼光色ＬＥＤ２１、電球色ＬＥＤ２２及び赤色ＬＥＤ２３から発する光が均一になり、均一なソメイヨシノの色の照明を実現することができる。また、電球色ＬＥＤ２２及び赤色ＬＥＤ２３の各組を基板２０上で均等に配置しているので、電球色ＬＥＤ２２及び赤色ＬＥＤ２３から発する光が均一になり、均一な八重桜の色の照明を実現することができる。
【００２９】
また、図５に示すように、電球色ＬＥＤ２２及び赤色ＬＥＤ２３は、それぞれの組について略等間隔に配置してある。電球色ＬＥＤ２２及び赤色ＬＥＤ２３は、いずれの組においても略等間隔に配置してあるので、電球色ＬＥＤ２２及び赤色ＬＥＤ２３から発する光の混色状態が均一になり、一層均一なソメイヨシノの色又は八重桜の色の照明を実現することができる。
【００３０】
図６は基板２０上のＬＥＤの配置の第３実施例を示す説明図である。図６は１０畳の照明装置に使用される基板の例である。基板２０には、例えば、昼光色ＬＥＤ２１が１８個、電球色ＬＥＤ２２及び赤色ＬＥＤ２３がそれぞれ１２個実装されている。照明装置には、４枚の基板２０を設けているので、照明装置全体としては、昼光色ＬＥＤ２１が７２個、電球色ＬＥＤ２２及び赤色ＬＥＤ２３がそれぞれ４８個実装されていることになる。
【００３１】
基板２０上には、１８個の昼光色ＬＥＤ２１を均等に配置してある。また、１８個の昼光色ＬＥＤ２１のうち一部の複数（図６の例では１２個）の昼光色ＬＥＤ２１それぞれの近傍に電球色ＬＥＤ２２及び赤色ＬＥＤ２３からなる１組のＬＥＤを配置してある。昼光色ＬＥＤ２１を基板２０上で均等に配置し、さらに一部の複数の昼光色ＬＥＤ２１それぞれの近傍に１組の電球色ＬＥＤ２２及び赤色ＬＥＤ２３を配置しているので、電球色ＬＥＤ２２及び赤色ＬＥＤ２３から発する光を加味した昼光色ＬＥＤ２１から発する光が均一になり、均一なソメイヨシノの色の照明を実現することができる。
【００３２】
また、図６に示すように、電球色ＬＥＤ２２及び赤色ＬＥＤ２３からなる各組のＬＥＤを基板２０上に均等に配置してある。上述のように、昼光色ＬＥＤ２１を基板２０上に均等に配置し、さらに一部の複数の昼光色ＬＥＤ２１それぞれの近傍に配置した電球色ＬＥＤ２２及び赤色ＬＥＤ２３の各組を基板２０上で均等に配置しているので、昼光色ＬＥＤ２１、電球色ＬＥＤ２２及び赤色ＬＥＤ２３から発する光が均一になり、均一なソメイヨシノの色の照明を実現することができる。また、電球色ＬＥＤ２２及び赤色ＬＥＤ２３の各組を基板２０上で均等に配置しているので、電球色ＬＥＤ２２及び赤色ＬＥＤ２３から発する光が均一になり、均一な八重桜の色の照明を実現することができる。
【００３３】
また、図６に示すように、電球色ＬＥＤ２２及び赤色ＬＥＤ２３は、それぞれの組について略等間隔に配置してある。電球色ＬＥＤ２２及び赤色ＬＥＤ２３は、いずれの組においても略等間隔に配置してあるので、電球色ＬＥＤ２２及び赤色ＬＥＤ２３から発する光の混色状態が均一になり、一層均一なソメイヨシノの色又は八重桜の色の照明を実現することができる。
【００３４】
図７は基板２０上のＬＥＤの配置の第４実施例を示す説明図である。図７は８畳の照明装置に使用される基板の例である。基板２０には、例えば、昼光色ＬＥＤ２１が１６個、電球色ＬＥＤ２２及び赤色ＬＥＤ２３がそれぞれ１０個実装されている。照明装置には、４枚の基板２０を設けているので、照明装置全体としては、昼光色ＬＥＤ２１が６４個、電球色ＬＥＤ２２及び赤色ＬＥＤ２３がそれぞれ４０個実装されていることになる。
【００３５】
基板２０上には、１６個の昼光色ＬＥＤ２１を均等に配置してある。また、１６個の昼光色ＬＥＤ２１のうち一部の複数（図７の例では１０個）の昼光色ＬＥＤ２１それぞれの近傍に電球色ＬＥＤ２２及び赤色ＬＥＤ２３からなる１組のＬＥＤを配置してある。昼光色ＬＥＤ２１を基板２０上で均等に配置し、さらに一部の複数の昼光色ＬＥＤ２１それぞれの近傍に１組の電球色ＬＥＤ２２及び赤色ＬＥＤ２３を配置しているので、電球色ＬＥＤ２２及び赤色ＬＥＤ２３から発する光を加味した昼光色ＬＥＤ２１から発する光が均一になり、均一なソメイヨシノの色の照明を実現することができる。
【００３６】
また、図７に示すように、電球色ＬＥＤ２２及び赤色ＬＥＤ２３からなる各組のＬＥＤを基板２０上に均等に配置してある。上述のように、昼光色ＬＥＤ２１を基板２０上に均等に配置し、さらに一部の複数の昼光色ＬＥＤ２１それぞれの近傍に配置した電球色ＬＥＤ２２及び赤色ＬＥＤ２３の各組を基板２０上で均等に配置しているので、昼光色ＬＥＤ２１、電球色ＬＥＤ２２及び赤色ＬＥＤ２３から発する光が均一になり、均一なソメイヨシノの色の照明を実現することができる。また、電球色ＬＥＤ２２及び赤色ＬＥＤ２３の各組を基板２０上で均等に配置しているので、電球色ＬＥＤ２２及び赤色ＬＥＤ２３から発する光が均一になり、均一な八重桜の色の照明を実現することができる。
【００３７】
また、図７に示すように、電球色ＬＥＤ２２及び赤色ＬＥＤ２３は、それぞれの組について略等間隔に配置してある。電球色ＬＥＤ２２及び赤色ＬＥＤ２３は、いずれの組においても略等間隔に配置してあるので、電球色ＬＥＤ２２及び赤色ＬＥＤ２３から発する光の混色状態が均一になり、一層均一なソメイヨシノの色又は八重桜の色の照明を実現することができる。
【００３８】
図８は基板２０上のＬＥＤの配置の第５実施例を示す説明図である。図８は６畳の照明装置に使用される基板の例である。基板２０には、例えば、昼光色ＬＥＤ２１が１２個、電球色ＬＥＤ２２及び赤色ＬＥＤ２３がそれぞれ８個実装されている。照明装置には、４枚の基板２０を設けているので、照明装置全体としては、昼光色ＬＥＤ２１が４８個、電球色ＬＥＤ２２及び赤色ＬＥＤ２３がそれぞれ３２個実装されていることになる。
【００３９】
基板２０上には、１２個の昼光色ＬＥＤ２１を均等に配置してある。また、１２個の昼光色ＬＥＤ２１のうち一部の複数（図８の例では８個）の昼光色ＬＥＤ２１それぞれの近傍に電球色ＬＥＤ２２及び赤色ＬＥＤ２３からなる１組のＬＥＤを配置してある。昼光色ＬＥＤ２１を基板２０上で均等に配置し、さらに一部の複数の昼光色ＬＥＤ２１それぞれの近傍に１組の電球色ＬＥＤ２２及び赤色ＬＥＤ２３を配置しているので、電球色ＬＥＤ２２及び赤色ＬＥＤ２３から発する光を加味した昼光色ＬＥＤ２１から発する光が均一になり、均一なソメイヨシノの色の照明を実現することができる。
【００４０】
また、図８に示すように、電球色ＬＥＤ２２及び赤色ＬＥＤ２３からなる各組のＬＥＤを基板２０上に均等に配置してある。上述のように、昼光色ＬＥＤ２１を基板２０上に均等に配置し、さらに一部の複数の昼光色ＬＥＤ２１それぞれの近傍に配置した電球色ＬＥＤ２２及び赤色ＬＥＤ２３の各組を基板２０上で均等に配置しているので、昼光色ＬＥＤ２１、電球色ＬＥＤ２２及び赤色ＬＥＤ２３から発する光が均一になり、均一なソメイヨシノの色の照明を実現することができる。また、電球色ＬＥＤ２２及び赤色ＬＥＤ２３の各組を基板２０上で均等に配置しているので、電球色ＬＥＤ２２及び赤色ＬＥＤ２３から発する光が均一になり、均一な八重桜の色の照明を実現することができる。
【００４１】
また、図８に示すように、電球色ＬＥＤ２２及び赤色ＬＥＤ２３は、それぞれの組について略等間隔に配置してある。電球色ＬＥＤ２２及び赤色ＬＥＤ２３は、いずれの組においても略等間隔に配置してあるので、電球色ＬＥＤ２２及び赤色ＬＥＤ２３から発する光の混色状態が均一になり、一層均一なソメイヨシノの色又は八重桜の色の照明を実現することができる。
【００４２】
上述の図４から図８で例示したＬＥＤの数は一例であり、各図に示した数に限定されるものではない。例えば、ＬＥＤの光量に応じてＬＥＤの数は変更することができる。また、図４から図８で例示したＬＥＤの比率は、昼光色ＬＥＤ２１の数：電球色ＬＥＤ２２の数：赤色ＬＥＤ２３の数は、３：２：２となっているが、かかる比率はＬＥＤの光量に応じて変更してもよい。
【００４３】
また、基板２０の大きさ（実装面の面積）は、実装するＬＥＤの総数に応じて適宜変えることができる。また、基板２０の形状は図４から図８の例に限定されない。例えば、照明装置が円形状のシャーシ及びリングカバーを具備するものではなく、矩形状のシャーシ及びリングカバーを具備する場合、基板２０の形状は矩形状とすることができる。
【００４４】
図９は矩形状の基板２５の配置例を示す説明図であり、図１０は矩形状の基板２５上のＬＥＤの配置の第１実施例を示す説明図である。図９に示すように、各基板２５は、矩形状（図９の例では長方形状）をなし、４枚の基板２５が四角形状にシャーシ１０に平行に配置されている。
【００４５】
図１０に示すように、基板２５には、例えば、昼光色ＬＥＤ２１が１６個、電球色ＬＥＤ２２及び赤色ＬＥＤ２３がそれぞれ８個実装されている。昼光色ＬＥＤ２１の数：電球色ＬＥＤ２２の数：赤色ＬＥＤ２３の数の割合は、２：１：１であるが、図４から図８に示す例のように、昼光色ＬＥＤ２１の数：電球色ＬＥＤ２２の数：赤色ＬＥＤ２３の数の割合を、３：２：２とすることもでき、あるいは他の比率にすることもできる。
【００４６】
基板２５上には、１６個の昼光色ＬＥＤ２１を均等に配置してある。また、１６個の昼光色ＬＥＤ２１のうち一部の複数（図１０の例では８個）の昼光色ＬＥＤ２１それぞれの近傍に電球色ＬＥＤ２２及び赤色ＬＥＤ２３からなる１組のＬＥＤを配置してある。昼光色ＬＥＤ２１を基板２５上で均等に配置し、さらに一部の複数の昼光色ＬＥＤ２１それぞれの近傍に１組の電球色ＬＥＤ２２及び赤色ＬＥＤ２３を配置しているので、電球色ＬＥＤ２２及び赤色ＬＥＤ２３から発する光を加味した昼光色ＬＥＤ２１から発する光が均一になり、均一なソメイヨシノの色の照明を実現することができる。
【００４７】
また、図１０に示すように、電球色ＬＥＤ２２及び赤色ＬＥＤ２３からなる各組のＬＥＤを基板２５上に均等に配置してある。上述のように、昼光色ＬＥＤ２１を基板２５上に均等に配置し、さらに一部の複数の昼光色ＬＥＤ２１それぞれの近傍に配置した電球色ＬＥＤ２２及び赤色ＬＥＤ２３の各組を基板２５上で均等に配置しているので、昼光色ＬＥＤ２１、電球色ＬＥＤ２２及び赤色ＬＥＤ２３から発する光が均一になり、均一なソメイヨシノの色の照明を実現することができる。また、電球色ＬＥＤ２２及び赤色ＬＥＤ２３の各組を基板２５上で均等に配置しているので、電球色ＬＥＤ２２及び赤色ＬＥＤ２３から発する光が均一になり、均一な八重桜の色の照明を実現することができる。
【００４８】
また、図１０に示すように、電球色ＬＥＤ２２及び赤色ＬＥＤ２３は、それぞれの組について略等間隔に配置してある。電球色ＬＥＤ２２及び赤色ＬＥＤ２３は、いずれの組においても略等間隔に配置してあるので、電球色ＬＥＤ２２及び赤色ＬＥＤ２３から発する光の混色状態が均一になり、一層均一なソメイヨシノの色又は八重桜の色の照明を実現することができる。
【００４９】
図１１は本実施の形態の照明装置により照明をソメイヨシノの色に調色した場合の発光スペクトルの一例を示す説明図であり、図１２は本実施の形態の照明装置により照明を八重桜の色に調色した場合の発光スペクトルの一例を示す説明図である。
【００５０】
電源基板５０は、電源回路及び調色回路などを実現する電気部品及び電子部品等を実装してあり、調色制御部としての機能を有する。照明をソメイヨシノの色に調色する場合、電源基板５０は、例えば、昼光色ＬＥＤ２１、電球色ＬＥＤ２２及び赤色ＬＥＤ２３に供給する電流の合計を１００％とした場合、電球色ＬＥＤ２２には６０％〜７０％程度、昼光色ＬＥＤ２１及び赤色ＬＥＤ２３には１５％〜２０％程度、全体で１００％となるように制御する。これにより、図１１に示すような発光スペクトルを得ることができる。
【００５１】
また、照明を八重桜の色に調色する場合、電源基板５０は、例えば、電球色ＬＥＤ２２及び赤色ＬＥＤ２３に供給する電流の合計を１００％とした場合、電球色ＬＥＤ２２には５０％〜６０％程度、赤色ＬＥＤ２３には４０％〜５０％程度、全体で１００％となるように制御する。この場合、昼光色ＬＥＤ２１は点灯させない。これにより、図１２に示すような発光スペクトルを得ることができる。なお、電流の比率は使用するＬＥＤの電気的、光学的特性により適宜変更すればよい。
【００５２】
図１３は本実施の形態の照明装置のソメイヨシノ及び八重桜の各色の色度座標の一例を示す説明図である。図１３はｘｙ色度図と称し、横軸は色度座標ｘを示し、縦軸は色度座標ｙを示す。また、図１３には、黒体軌跡、等色温度線、等偏差線が描かれている。光源の色が黒体軌跡上にない場合、最も近似の黒体の温度を相関色温度という。そして、相関色温度は、黒体軌跡からの偏差（Δｕｖ）とともに表され、図１３に示すように、偏差Δｕｖ＝±０．０２の範囲が相関色温度で表してもよい色の範囲となる。
【００５３】
図１３に示すように、本実施の形態におけるソメイヨシノの色の目標色度座標は、ｘ＝０．４２程度、ｙ＝０．３７程度であり、本実施の形態におけるソメイヨシノの色は、ソメイヨシノ効果効能範囲に含まれる色度座標として画定することができる。また、本実施の形態における八重桜の色の目標色度座標は、ｘ＝０．５２程度、ｙ＝０．３８程度であり、本実施の形態における八重桜の色は、八重桜効果効能範囲に含まれる色度座標として画定することができる。
【００５４】
次に、電球色の照明での演色性を向上させる方法について説明する。図１４は従来の電球色の発光スペクトルの一例を示す説明図である。従来の電球色（電球色光源）の平均演色評価数（Ｒａ）は、８２程度である。平均演色評価数（Ｒａ）は、８色（Ｒ１〜Ｒ８）の演色評価数を平均したものである。図１４の符号Ａで示すように、波長が６５０ｎｍ〜７００ｎｍの範囲にかけて相対強度が若干低いため演色性がよいとは言えない。また、波長が４５０ｎｍ〜５００ｎｍの範囲においても発光スペクトルが小さくなっている。
【００５５】
そこで、本実施の形態の照明装置の電源基板５０は、照明を電球色にする場合には、電球色ＬＥＤ２２だけを点灯させるのではなく、電球色ＬＥＤ２２と同時に赤色ＬＥＤ２３及び昼光色ＬＥＤ２１も点灯させる。すなわち、電源基板５０は、電球色ＬＥＤ２２、昼光色ＬＥＤ２１及び赤色ＬＥＤ２３に流れる電流を調整して電球色に調色制御する。
【００５６】
赤色ＬＥＤ２３を点灯させることにより、図１４で例示した発光スペクトルの波長６５０ｎｍ〜７００ｎｍの範囲における相対強度を大きくすることにより、平均演色評価数（Ｒａ）を高くする。また、昼光色ＬＥＤ２１を点灯させることにより、図１４で例示した発光スペクトルの波長４５０ｎｍ〜５００ｎｍの範囲における相対強度を大きくすることにより、平均演色評価数（Ｒａ）を高くする。電球色ＬＥＤ２２を点灯して電球色の照明を実現する場合に、昼光色ＬＥＤ２１及び赤色ＬＥＤ２３に流れる電流を調整することにより、同じ電球色でありながら、平均演色評価数（Ｒａ）を大きく（例えば、８５〜９０程度）して演色性を向上することができる。
【００５７】
図１５は本実施の形態の照明装置により照明を電球色に調色した場合の色度座標の第１例を示す説明図である。図１５には、電球色ＬＥＤ単独発光時の色度座標、ｘ＝０．４４７、ｙ＝０．４００が示されている。電球色ＬＥＤ２２の色温度は、例えば、２７００Ｋである。同様に、昼光色ＬＥＤ単独発光時の色度座標、ｘ＝０．３１３、ｙ＝０．３３３が示されている。昼光色ＬＥＤ２１の色温度は、例えば、６５００Ｋである。電球色ＬＥＤ２２と昼光色ＬＥＤ２１とを同時に点灯させて調色した場合、調色カーブは、図１５の破線で示すような直線になり、色温度は、この直線上で変化させることができる。
【００５８】
さらに、電球色ＬＥＤ２２と昼光色ＬＥＤ２１に加えて赤色ＬＥＤ２３も同時に点灯させる。そして、赤色ＬＥＤ２３に流れる電流を徐々に増やすとともに、昼光色ＬＥＤ２１に流れる電流も徐々に増やすと、調色カーブは、図１５の実線で示すように、破線で示す直線から徐々に離れていくように変化する。これにより、照明を電球色に調色した場合に、平均演色評価数（Ｒａ）が大きく（例えば、８５〜９０程度）なり演色性が向上する。
【００５９】
図１６は本実施の形態の照明装置により照明を電球色に調色した場合の平均演色評価数（Ｒａ）の一例を示す説明図である。図１６に示すように、電球色ＬＥＤ２２に流れる電流を１．００１００％）とした場合に、昼光色ＬＥＤ２１に流れる電流の比を０．０５（５％）から０．２５（２５％）程度の範囲とし、赤色ＬＥＤ２３に流れる電流の比を０．１（１０％）から０．３４（３４％）程度の範囲とする。これにより、電球色の照明を維持しつつ（色温度が２７００Ｋ）、平均演色評価数（Ｒａ）を大きく（例えば、８５〜９０程度）して演色性を向上することができる。
【００６０】
例えば、図１６に示すように、電球色ＬＥＤ２２に流れる電流を１．００（１００％）とし、昼光色ＬＥＤ２１に流れる電流の比を約０．０５（５％）から０．１（１０％）の範囲とし、赤色ＬＥＤ２３に流れる電流の比を約０．１（１０％）から０．１８（１８％）の範囲とすることにより、平均演色評価数（Ｒａ）を８５〜８７程度にすることができる。
【００６１】
また、電球色ＬＥＤ２２に流れる電流を１．００（１００％）とし、昼光色ＬＥＤ２１に流れる電流の比を約０．１（１０％）から０．２（２０％）の範囲とし、赤色ＬＥＤ２３に流れる電流の比を約０．１８（１８％）から０．２８（２８％）の範囲とすることにより、平均演色評価数（Ｒａ）を８７〜８９程度にすることができる。
【００６２】
また、電球色ＬＥＤ２２に流れる電流を１．００（１００％）とし、昼光色ＬＥＤ２１に流れる電流の比を約０．２（２０％）から０．２５（２５％）の範囲とし、赤色ＬＥＤ２３に流れる電流の比を約０．２８（２８％）から０．３４（３４％）の範囲とすることにより、平均演色評価数（Ｒａ）を８９〜９０程度にすることができる。
【００６３】
図１７は本実施の形態の照明装置により照明を電球色に調色した場合の色度座標の第２例を示す説明図である。図１５の例と相違する点は、図１７に例示した電球色ＬＥＤ２２の色度座標が、図１５に例示した電球色ＬＥＤ２２の色度座標が異なる点である。具体的には、図１７の電球色ＬＥＤ２２の色度のｙ座標を、図１５の場合よりも若干大きくしてある。図１７の例では、電球色ＬＥＤ単独発光時の色度座標は、ｘ＝０．４７２、ｙ＝０．４３５であり、色温度は２７００Ｋである。すなわち、図１７の例では、黒体軌跡からの偏差（Ｕｕｖ）が正となる領域内に電球色ＬＥＤ２２の色度座標を設定してある。なお、電球色ＬＥＤ２２の色度座標は、ｘ＝０．４７２、ｙ＝０．４３５に限定されるものではなく、同じ等偏差線上の他の色度座標でもよい。
【００６４】
そして、電球色の平均演色評価数（Ｒａ）を大きくすべく電球色に赤色及び昼光色を混色し、かつ色温度を２７００Ｋに維持したまま照明を電球色に調色した場合、色度座標は黒体軌跡に近づく。このようにして、電球色の調色カーブを黒体軌跡上にすることができ、平均演色評価数（Ｒａ）を向上させるとともに、理想の調色カーブにすることができる。
【００６５】
また、図１５に例示した電球色ＬＥＤの色度と、図１７に例示した電球色ＬＥＤの色度との違いは、通常の色度のばらつきの程度であるので、ＬＥＤの製造上の問題がなくＬＥＤの発光効率を低下させることもない。また、赤色ＬＥＤを加えるという簡便な構成で理想の照明を得ることができる。
【００６６】
次に、本実施の形態の照明装置の基板２０の固定方法について説明する。
【００６７】
図１８は本実施の形態の照明装置の基板２０の配置の一例を示す平面図であり、図１９は基板２０周辺の要部の一例を示す説明図である。図１８に示すように、４枚の基板２０は、シャーシ１０の中央に配置される円形状の基板カバー６０の周囲に環状に配置してある。
【００６８】
図１９に示すように、基板２０は、ＬＥＤを実装する実装面２０１（破線で囲む領域）を有し、対向する円弧状の外辺２０２及び内辺２０３と、隣接する他の基板２０と対向する側辺とにより囲まれた形状をなす。また、内辺２０３と実装面２０１との間には、ＬＥＤやその他の部品を実装していない固定用領域２０４を設けている。
【００６９】
また、外辺２０２の曲り具合よりも内辺２０３の曲り具合を緩やかにしている。すなわち、内辺２０３の曲率は外辺２０２の曲率より小さい。
【００７０】
外辺２０２の中央には、基板２０をシャーシに固定するナイロンリベット９３を１個取り付けてある。また、お互いに隣接する基板２０の外辺２０２及び側辺が交差する角部には、基板２０をシャーシに固定するナイロンリベット９３を１個取り付けてある。すなわち、各基板２０の外辺２０２に沿ってナイロンリベット９３を設けてあり、８個のナイロンリベット９３により４枚の基板２０の外辺側を固定している。
【００７１】
基板カバー６０は、外周に沿って適幅の鍔部６１を周設してある。基板２０の内辺２０３の曲り具合は、鍔部６１の外辺６２の曲り具合に比べて緩やかにしてある。すなわち、内辺２０３の曲率は鍔部６１の外辺６２の曲率より小さい。また、鍔部６１の外辺６２が、基板２０の固定用領域２０４に位置するようにしてある。基板カバー６０は、鍔部６１にねじ孔を形成してあり、ねじ孔にねじ９５を挿通して基板カバー６０をシャーシ１０に固定することができる。
【００７２】
これにより、鍔部６２が基板２０の固定用領域２０４の一部の領域（図１９で斜線で示す領域）を、シャーシ１０との間では挟み込む。これにより、基板２０の外辺側はナイロンリベット９３により固定され、内辺側は基板カバー６０の鍔部６２で固定されるので、基板２０を固定するためのねじ又はビス等を削減することができる。なお、鍔部６２で基板２０を押圧するようにしてもよく、あるいは鍔部６２で基板２０を遊嵌するようにしてもよい。
【００７３】
次に、本実施の形態の照明装置の電源基板５０の固定方法について説明する。
【００７４】
図２０は本実施の形態の照明装置の電源基板５０の固定方法の一例を示す斜視図であり、図２１は内側アダプタ３０の第１例を示す外観斜視図であり、図２２は図２１のＸＸＩＩ−ＸＸＩＩ線から見た内側アダプタ３０の要部断面図であり、図２３は外側アダプタ４０の第１例を示す外観斜視図であり、図２４は図２３のＸＸＩＶ−ＸＸＩＶ線から見た外側アダプタ４０の要部断面図であり、図２５は内側アダプタ３０及び外側アダプタ４０の固定状態の一例を示す要部断面図である。
【００７５】
図２０はリングカバー７０側からシャーシ側を見た場合を示す。図２０に示すように、電源基板５０の中央部には円形状の孔を形成してあり、内側アダプタ３０及び外側アダプタ４０が配置される。また、電源基板５０の一の角部には、アース線接続用のねじ９６を固定するようになっている。ねじ９６は、シャーシ１０に締結される。また、電源基板の他の角部５１、５２、５３は、不図示の基板カバー６０で押えられるようにしてある。電源基板５０は、内側アダプタ３０及び外側アダプタ４０並びにねじ９６により位置決めされるとともに固定される。これにより、電源基板５０の固定のための専用の部品又は部材が不要となり、コトスを低減することができる。
【００７６】
図２１及び図２２に示すように、内側アダプタ３０は、環状の本体部３２、本体部３２の一側端から径方向外側に延設された鍔部３１を有する。本体部３２には、直径上で対向した位置に突出部３４を設け、突出部３４の先端付近に孔３３を形成してある。また、鍔部３１には、適長離隔して複数の係止部３５を設けている。
【００７７】
また、図２３及び図２４に示すように、外側アダプタ４０は、環状の本体部４２、本体部４２の一側端から径方向外側に延設された鍔部４１を有する。また、本体部４２には、内側アダプタ３０の突出部３４に当接する当接部４３、当接部４３から内側に突出し、内側アダプタ３０の孔３３に係止する爪部４４を設けている。また、本体部４２には、内側アダプタ３０の係止部３５が係止する被係止部４５を形成してある。本体部４２の他側端には、基板カバー６０を係止する係止部４６を形成してある。
【００７８】
図２５に示すように、内側アダプタ３０の孔３３に外側アダプタ４０の爪部４４を係止させることにより、内側アダプタ３０と外側アダプタ４０とを着脱可能に取り付けることができる。また、電源基板５０の中央に設けられた孔の縁部は、内側アダプタ３０と外側アダプタ４０とにより挟み込まれる。
【００７９】
次に、電源基板５０に実装されたメモリに記録されたプログラムを書き換える際に使用される書き換え用のコネクタへのアクセスを容易にする方法について説明する。なお、書き換え用のコネクタは、電源基板５０に固定してあるが、プログラムを記録するメモリは、電源基板５０に実装してもよく、コネクタが固定された基板と異なる他の基板に実装してもよい。
【００８０】
図２６は内側アダプタ３０の第２例を示す外観斜視図であり、図２７は外側アダプタ４０の第２例を示す外観斜視図であり、図２８及び図２９は電源基板５０の書き換え用のコネクタ５４の近傍の様子を示す説明図である。図２８及び図２９に示すように、電源基板５０には、書き換え用のコネクタ５４を固定してある。
【００８１】
図２６に示すように、第２例の内側アダプタ３０は、本体部３２の外周に沿って適長及び適宜の高さ寸法を有する扉部３６を有する。扉部３６の長さ及び高さ寸法は、書き換え用のコネクタ５４の接続面よりも大きくしてある。
【００８２】
また、図２７に示すように、第２例の外側アダプタ４０は、本体部４２に扉部３６と略同寸法の開口部４７を形成してある。内側アダプタ３０と外側アダプタ４０とが相対的に回動（例えば、図２６に示す矢印の如く）することにより、扉部３６により開口部４７を全閉することができ、あるいは、開口部４７を全開することができる。
【００８３】
図２８に示すように、扉部３６により開口部４７を全閉した場合には、外部から書き換え用のコネクタ５４にアクセスすることができない。また、扉部３６で書き換え用のコネクタ５４を保護することができる。
【００８４】
また、図２９に示すように、扉部３６により開口部４７を全開した場合には、外部から書き換え用のコネクタ５４にアクセスすることができる。内側アダプタ３０と外側アダプタ４０とを相対的に回動させるだけで、容易に書き換え用のコネクタ５４にアクセスすることができ、照明装置を分解して電源基板５０を露出させる必要がなく容易にプログラムを書き換えることができる。
【００８５】
次に、センタカバー８１とリングカバー７０との間の隙間から虫が侵入することを防止する方法について説明する。
【００８６】
図３０は本実施の形態の照明装置のリングカバー７０の要部を示す説明図であり、図３１はセンタカバー８１の一例を示す外観斜視図であり、図３２はセンタカバー８１の取付状態の一例を示す説明図である。
【００８７】
図３０に示すように、リングカバー７０は、その中央部に円筒状の筒部７１を有する。筒部７１の周面には、周方向に沿った板状部材と周方向に直交する板状部材とからなる略Ｌ字状の爪部７２を複数（図３０の例では２個）形成してある。
【００８８】
また、図３１に示すように、センタカバー８１は、円筒状の筒部８４、筒部８４の一端側には、筒部８４の外周面に立設した鍔部８３を有する。筒部８４の他端側には、外周面に沿って立設された適長の第１爪部８６、第１爪部８６と平行に離隔して立設された第２爪部８７を有する。第１爪部８６及び第２爪部８７は、複数（図３１の例では４個）設けられているが、リングカバー７０の爪部７１に対応する位置になるように配置されている。
【００８９】
図３２に示すように、リングカバー７０の爪部７２が、センタカバー８１の第１爪部８６と第２爪部８７との間の隙間に嵌合することにより、センタカバー８１を着脱可能にリングカバー７０に取り付けることができる。
【００９０】
また、図３２に示すように、リングカバー７０の筒部７１、センタカバー８１の筒部８４、第２爪部８７及びセンタカバー８１の縁部で囲まれる空間には、センタカバーシール８２を挿入してある。センタカバーシール８２は、例えば、断面形状が円形状であって弾性を有する。センタカバーシール８２の材質は、例えば、ウレタンゴム等とすることができる。
【００９１】
センタカバーシール８２の断面形状の寸法（図３２の例では、外径）は、筒部７１と筒部８４との離隔寸法より若干大きくしてある。また、センタカバーシール８２の断面形状の寸法は、センタカバー８１の縁部と第２爪部８７との間の離隔寸法と同等にしてある。これにより、センタカバー８１とリングカバー７０との間の隙間から虫が侵入することを防止することができる。
【００９２】
また、センタカバー８１をリングカバー７０に取り付けた場合、センタカバーシール８２は、筒部７１と筒部８４とによりセンタカバー８１の表面と平行な方向に押圧されるが、センタカバー８１の表面と垂直な方向には押圧されない。そのため、センタカバー８１をリングカバー７０に取り付けた場合に、センタカバーシール８２による反発力がセンタカバー８１を外す方向に荷重として働かないので、センタカバー８１を確実にリングカバー７０に固定することができる。
【００９３】
なお、図３２の例では、センタカバーシール８２の断面形状が円形状であるが、円形状に限定されるものではなく、矩形状であってもよい。この場合も、センタカバーシール８２の断面形状の寸法は、筒部７１と筒部８４との離隔寸法より若干大きくすることができる。また、センタカバーシール８２の断面形状の寸法は、センタカバー８１の縁部と第２爪部８７との間の離隔寸法と同等にすることができる。
【００９４】
次に、シャーシ１０とリングカバー７０との取付方法について説明する。
【００９５】
図３３はシャーシ１０の一例を示す外観斜視図であり、図３４及び図３５はシャーシ１０とリングカバー７０との取付部分の一例を示す要部断面図である。図３４及び図３５は、図３の符号７０Ａで示す箇所を拡大したものである。図３３に示すように、シャーシ１０は、外径寸法（中心から縁部までの寸法）が所定長である第１縁部１１と、当該所定長より若干長い第２縁部１２を有する。図３３の符号１０Ａで示す破線で囲まれた縁部が第２縁部１２であり、シャーシ１０の外周に沿って複数設けてある。
【００９６】
図３４に示すように、外形寸法が所定長である第１縁部１１に対応する位置において、リングカバー７０は、第１縁部１１を外側から覆うように配置された覆部７１を有する。第１縁部１１が覆部７１に係止する寸法をｄ１で示す。
【００９７】
一方、図３５に示すように、外形寸法が所定長より若干長い第２縁部１２に対応する位置において、リングカバー７０は、第２縁部１２を外側から覆うように配置された覆部７１、覆部７１の内側に突出させた突出部７２、第２縁部１２を係止する溝部７３を有する。第２縁部１２が溝部７３に係止する寸法をｄ２で示す。寸法ｄ２は、ｄ２＞ｄ１の関係があり、例えば、ｄ１＝１．５ｍｍ、ｄ２＝２ｍｍ程度とすることができる。
【００９８】
上述のように、リングカバー７０をシャーシ１０に固定する場合、リングカバー７０の突出部７２及び溝部７３に対応するシャーシ１０の外径寸法を若干（例えば、０．５ｍｍ、１ｍｍなど）長くすることにより、リングカバー７０とシャーシ１０とがお互いに係止する箇所の係止長を長くすることができるので、リングカバー７０をシャーシ１０から外れにくくすることができる。
【００９９】
上述の実施の形態では、シーリングライトとしての照明装置について説明したが、照明装置は、シーリングライトに限定されるものでなく、他の照明装置であってよい。また、光源としてＬＥＤを備える照明装置について説明したが、光源はＬＥＤに限定されるものではなく、有機ＥＬなど他の光源でもよい。
【０１００】
本実施の形態の照明装置は、複数の光源を実装した基板（２０、２５）を備える照明装置において、前記複数の光源は、昼光色の光を発する複数の昼光色光源（２１）と、電球色の光を発する複数の電球色光源（２２）と、赤色の光を発する複数の赤色光源（２３）とを有し、前記複数の昼光色光源を前記基板上に均等に配置してあり、前記複数の昼光色光源のうち一部の複数の昼光色光源それぞれの近傍に前記電球色光源及び赤色光源からなる１組の光源を配置してあることを特徴とする。
【０１０１】
本実施の形態にあっては、基板（２０、２５）に実装された複数の光源は、昼光色の光を発する複数の昼光色光源（２１）と、電球色の光を発する複数の電球色光源（２２）と、赤色の光を発する複数の赤色光源（２３）とを有する。基板上には、複数の昼光色光源を均等に配置してある。均等に配置するとは、例えば、複数の昼光色光源の中の隣り合う任意の昼光色光源同士の間の離隔寸法を同等にして配置するということである。そして、複数の昼光色光源のうち一部の複数の昼光色光源それぞれの近傍に電球色光源及び赤色光源からなる１組の光源を配置してある。近傍とは、例えば、隣り合う昼光色光源同士の間の離隔寸法の半分以下の寸法である。
【０１０２】
電球色光源及び赤色光源は、一部の複数の昼光色光源それぞれの近傍に配置してあるので、昼光色光源の数に比べて電球色光源及び赤色光源の数は少ない。昼光色光源、電球色光源及び赤色光源を同時に点灯させた場合、さくら色の１つの色であるソメイヨシノの色を実現することができる。また、昼光色光源を均等に配置し、さらに一部の複数の昼光色光源それぞれの近傍に１組の電球色光源及び赤色光源を配置しているので、電球色光源及び赤色光源から発する光を加味した昼光色光源から発する光が均一になり、均一なソメイヨシノの色の照明を実現することができる。
【０１０３】
本実施の形態の照明装置は、前記電球色光源（２２）及び赤色光源（２３）からなる各組の光源を前記基板（２０、２５）上に均等に配置してあることを特徴とする。
【０１０４】
本実施の形態にあっては、電球色光源（２２）及び赤色光源（２３）からなる各組の光源を基板（２０、２５）上に均等に配置してある。昼光色光源を均等に配置し、さらに一部の複数の昼光色光源それぞれの近傍に配置した電球色光源及び赤色光源の各組を基板上で均等に配置しているので、昼光色光源、電球色光源及び赤色光源から発する光が均一になり、均一なソメイヨシノの色の照明を実現することができる。
【０１０５】
また、昼光色光源を点灯させずに電球色光源及び赤色光源だけを同時に点灯させた場合、さくら色の１つの色である八重桜の色を実現することができる。電球色光源及び赤色光源の各組を基板上で均等に配置しているので、電球色光源及び赤色光源から発する光が均一になり、均一な八重桜の色の照明を実現することができる。
【０１０６】
本実施の形態の照明装置は、前記電球色光源（２２）及び赤色光源（２３）は、それぞれの組について略等間隔に配置してあることを特徴とする。
【０１０７】
本実施の形態にあっては、電球色光源（２２）及び赤色光源（２３）は、それぞれの組について略等間隔に配置してある。電球色光源及び赤色光源は、いずれの組においても略等間隔に配置してあるので、電球色光源及び赤色光源から発する光の混色状態が均一になり、一層均一なソメイヨシノの色又は八重桜の色の照明を実現することができる。
【０１０８】
本実施の形態の照明装置は、前記電球色光源（２２）、昼光色光源（２１）及び赤色光源（２３）に流れる電流を調整して電球色に調色制御する調色制御部（５０）を備えることを特徴とする。
【０１０９】
本実施の形態にあっては、調色制御部（５０）は、電球色光源（２２）、昼光色光源（２１）及び赤色光源（２３）に流れる電流を調整して電球色に調色制御する。電球色光源の平均演色評価数（Ｒａ）は、８２程度である。平均演色評価数（Ｒａ）は、８色（Ｒ１〜Ｒ８）の演色評価数を平均したものである。電球色光源を点灯して電球色の照明を実現する場合に、昼光色光源及び赤色光源に流れる電流を調整することにより、同じ電球色でありながら、平均演色評価数（Ｒａ）を大きく（例えば、８５〜９０程度）して演色性を向上することができる。
【０１１０】
本実施の形態の照明装置は、前記調色制御部（５０）は、前記電球色光源（２２）に流れる電流に対して、前記昼光色光源（２１）に流れる電流の比を５％から２５％の範囲とし、前記赤色光源（２３）に流れる電流の比を１０％から３４％の範囲とすべく電流を調整するようにしてあることを特徴とする。
【０１１１】
本実施の形態にあっては、電球色光源（２２）に流れる電流を１００％とした場合に、昼光色光源（２１）に流れる電流の比を５％から２５％の範囲とし、赤色光源（２３）に流れる電流の比を１０％から３４％の範囲とする。これにより、電球色の照明を維持しつつ、平均演色評価数（Ｒａ）を大きく（例えば、８５〜９０程度）して演色性を向上することができる。
【０１１２】
例えば、電球色光源に流れる電流を１００％とし、昼光色光源に流れる電流の比を約５％から１０％の範囲とし、赤色光源に流れる電流の比を約１０％から１８％の範囲とすることにより、平均演色評価数（Ｒａ）を８５〜８７程度にすることができる。また、電球色光源に流れる電流を１００％とし、昼光色光源に流れる電流の比を約１０％から２０％の範囲とし、赤色光源に流れる電流の比を約１８％から２８％の範囲とすることにより、平均演色評価数（Ｒａ）を８７〜８９程度にすることができる。また、電球色光源に流れる電流を１００％とし、昼光色光源に流れる電流の比を約２０％から２５％の範囲とし、赤色光源に流れる電流の比を約２８％から３４％の範囲とすることにより、平均演色評価数（Ｒａ）を８９〜９０程度にすることができる。
【符号の説明】
【０１１３】
１０  シャーシ
２０、２５  基板
２１  昼光色ＬＥＤ
２２  電球色ＬＥＤ
２３  赤色ＬＥＤ
３０  内側アダプタ
４０  外側アダプタ
５０  電源基板
６０  基板カバー
７０  リングカバー
８０  センタカバーシート
８１  センタカバー
８２  センタカバーシール
【図１】
2015050122.tif 000003
【図２】
2015050122.tif 000004
【図３】
2015050122.tif 000005
【図４】
2015050122.tif 000006
【図５】
2015050122.tif 000007
【図６】
2015050122.tif 000008
【図７】
2015050122.tif 000009
【図８】
2015050122.tif 000010
【図９】
2015050122.tif 000011
【図１０】
2015050122.tif 000012
【図１１】
2015050122.tif 000013
【図１２】
2015050122.tif 000014
【図１３】
2015050122.tif 000015
【図１４】
2015050122.tif 000016
【図１５】
2015050122.tif 000017
【図１６】
2015050122.tif 000018
【図１７】
2015050122.tif 000019
【図１８】
2015050122.tif 000020
【図１９】
2015050122.tif 000021
【図２０】
2015050122.tif 000022
【図２１】
2015050122.tif 000023
【図２２】
2015050122.tif 000024
【図２３】
2015050122.tif 000025
【図２４】
2015050122.tif 000026
【図２５】
2015050122.tif 000027
【図２６】
2015050122.tif 000028
【図２７】
2015050122.tif 000029
【図２８】
2015050122.tif 000030
【図２９】
2015050122.tif 000031
【図３０】
2015050122.tif 000032
【図３１】
2015050122.tif 000033
【図３２】
2015050122.tif 000034
【図３３】
2015050122.tif 000035
【図３４】
2015050122.tif 000036
【図３５】
2015050122.tif 000037